(57)【要約】【目的】  種々の種類の草の根を容易にかつ強固に捕捉して、短時間に効率よく引抜くことができる草取り具の実現を目的とする。【構成】  把持部１と、把持部１にその基部が固着された刃部２とを有する草取り具において、草引抜き方向に対して鈍角方向に後方側に開口している複数の凹部３ｂと、この凹部３ｂを挟んで隣接する複数の凸部３ａとを有する草抉摘部３を刃部２の先端部分の側部に設けたことを特徴とする。【選択図】  図１
2007135508.tif 000002
【特許請求の範囲】
【請求項１】
把持部と、この把持部にその基部が固着された刃部とを有する草取り具において、
草引抜き方向に対して鈍角方向に後方側に開口している複数の凹部と、
この凹部を挟んで隣接する複数の凸部とを有する草抉摘部を前記刃部の先端部分の側部に設けたことを特徴とする草取り具。
【請求項２】
前記凹部を挟む前記凸部の両辺は、ほぼ平行な直線であることを特徴とする請求項1に記載の草取り具。
【請求項３】
前記凹部を挟む前記凸部の形状が鉤状であることを特徴とする請求項1に記載の草取り具。
【請求項４】
前記凹部と前記凹部との間隔が引抜き方向に沿って手元に近くなるほど広くなることを特徴とする請求項1ないし請求項３のいずれかに記載の草取り具。
【発明の詳細な説明】
【技術分野】
【０００１】
本発明は、草取り具に関し、特に操作性を改良した草取り具に関する。
【背景技術】
【０００２】
従来、草を茎から上ばかりでなく、根ごと引き抜くことを目的とした草取り具が報告されている。例えば、発明者が先に提案したものなど（特許文献１、特許文献２及び特許文献３参照。）のように、その刃部に突起とそれに続く引掛部とを設け、草の根をこの引掛部に引掛けて引き抜くようにしているもの、そのような刃部を多少湾曲させたもの（特許文献４及び特許文献５参照。）などがある。
【特許文献１】実用新案登録第２５３６２５７号公報
【特許文献２】実用新案登録第３０７４７２９号公報
【特許文献３】実用新案登録第３１００３６４号公報
【特許文献４】特開平７‐３０３４０１号公報
【特許文献５】特開平１０‐９号公報
【発明の開示】
【発明が解決しようとする課題】
【０００３】
しかしながら、上述のような草取り具では、引掛部に草の根がうまく引っかかってくれるかどうかが草取りの決め手になる。引掛部の間隔が広すぎると、草の根が引掛部にうまく引っかからず滑ってすり抜けてしまう虞があって、引抜き力が加わらず、時には草に手を添えてやらねばうまく抜くことができないなどという問題があり、逆に間隔が狭すぎても、草の根が引掛部の溝にうまく入り込まず力が加わらないという問題がある。
本発明は、このような問題を解決して、種々の種類の草の根を容易にかつ強固に捕捉して、短時間に効率よく引き抜くことができる草取り具の実現を課題とする。
【課題を解決するための手段】
【０００４】
上記課題を解決するため、本発明の請求項1に記載の発明は、把持部と、この把持部にその基部が固着された刃部とを有する草取り具において、草引抜き方向に対して鈍角方向に後方側に開口している複数の凹部と、この凹部を挟んで隣接する複数の凸部とを有する草抉摘部を前記刃部の先端部分の側部に設けたことを特徴とする。
【０００５】
上記課題を解決するため、本発明の請求項２に記載の発明は、請求項1に記載の草取り具において、前記凹部を挟む前記凸部の両辺は、ほぼ平行な直線であることを特徴とする。
【０００６】
上記課題を解決するため、本発明の請求項３に記載の発明は、請求項1に記載の草取り具において、前記凹部を挟む前記凸部の形状が鉤状であることを特徴とする。
【０００７】
上記課題を解決するため、本発明の請求項４に記載の発明は、請求項1ないし請求項３のいずれかに記載の草取り具において、前記凹部と前記凹部との間隔が引抜き方向に沿って手元に近くなるほど広くなることを特徴とする。
【発明の効果】
【０００８】
本発明の草取り具は、このように構成されているので、草抉摘部で根を探りながら引き抜くことにより、比較的細い雑草の根は凹部の間に挟んで抉り取るようにして、比較的太く深く根付いた雑草は、凸部を茎や根に食い込ませて引張り、片手でも引き抜くことができるので、根の大小や根の浅い深いに関係なく、簡単確実に効率的に草を根から引き抜いて除草することができる。
【発明を実施するための最良の形態】
【０００９】
本発明を、図面に沿って詳細に説明する。
図１は、本発明の草取り具の一実施の形態の正面図、図２は草抉摘部の２つの実施の形態の例の正面図、図３は草抉摘部の拡大斜視図、図４は草抉摘部の拡大底面図、図５及び図６は草取りの状態を示す斜視図で、図７〜図１２は本発明の草取り具の他の実施の形態の正面図ある。
図１乃至図１２において、符号１は把持部、符合２は刃部、符号３は草抉摘部、符合３ａは草抉摘部３の凸部、符号３ｂは草抉摘部３の凹部、符合５は草の根を模式的に示したものである。
【００１０】
図１乃至図１２に沿って、本実施の形態の構成と機能を説明する。
刃部２は把持部１に固定されている。把持部１は木製、プラスチック製または金属製など握りやすく作業がしやすいものであれば特に材料は問わない。刃部２は鋼鉄製やステンレス製の板を用い、焼入れして構成されている。刃部２の把持部１への固定は、強固に固定されさえすればよく、特に方法は問わない。
【００１１】
刃部２の先端の側部には、草抉摘部3が設けられている。草抉摘部３は複数の連続する凸部３ａと凹部３ｂから構成されている。草抉摘部凹部３ｂの開口の向きＢは、草を引き抜く方向Ａに対して後ろ側に向いている。
【００１２】
草抉摘部凸部３ａと草抉摘部凹部３ｂの形状は、特に決まったものではなく、草の根５にうまく絡んで、草の根５を引抜き易い形状であればどのようなものでも良い。図２に、その例を示す。
図２（ａ）は、直線刃の例であり、この例では、複数の草抉摘部凸部３ａは草抉摘部凹部３ｂを挟んで相互に平行に並んでおり、草取り具がＡ方向に引っ張られたとき、凹部３ｂに入った草の根５の行く手をさえぎるように位置している。
図２（ｂ）は、曲線刃の例であり、この例では、草抉摘部凸部３ａは鉤状の形状をしていて、草の根５や茎に刺さり易くなっている。
これらの例では、凸部３ａと凸部３ａ間の間隔は、引抜き方向Ａに沿って手元に近くなるほど広くなっている。このようにすることによって、太さの異なる種々の草の根５にうまく絡むことができる。ただし、凸部３ａの形状は必ずしもこのようなものに限定されるわけではない。
【００１３】
この草取り具の使い方を説明する。
草を抜こうとするとき、作業者は、把持部１を手に持って刃部２の先端部分を除草しようとする草の根の部分に差し入れる。このとき、比較的小さく、根が張っていない草の場合には、作業者は、刃部２の先端部分で根を探り出して引っ張るようにする。すると、比較的細い草の根５は、図３、図４に点Ｐ、点Ｑで示したような草抉摘部凹部３ｂの両壁の点で引っかかり抉るような力が働いて、特に手を添えるようにしなくても根が滑ることなく、図６に示すように凹部３ｂに引っかかった状態で片手でも草の根５を引き抜くことができる。
【００１４】
一方、太目の、根が張った草を抜く場合には、作業者は、刃部２の根元部分で根５を挟むようにするか、図６に示すように、草抉摘部３の凸部３ａを根５や茎に突き刺し、その状態で引っ張るようにする。凸部３ａが根５や茎に刺さることで、根５や茎がちぎれない限り刃部２が草に充分絡んで片手でも引抜き易くなる。
【００１５】
本実施の形態の草取り具は、このように構成されているので、比較的小さく浅く根付いた雑草も、比較的太く深く根付いた雑草も片手でも引き抜くことができるので、根の大小や根の浅い深いに関係なく、簡単確実に草を根から引き抜いて除草することができる。
【００１６】
以上、実施の形態として、草抉摘部３の凸部３ａが直線状のものと、曲線状のものをあげて説明したが、本発明はこれに限られるものではなく、本発明の主旨を逸脱しない範囲での変形を有するものも本発明の対象となるものである。
例えば、凸部３ａや凹部３ｂの形状が一様でなく部分的に異なっているもの、例えば、図７および図８に示すように、凸部３ａや凹部３ｂの間隔が一様なものや、図９〜図１１に示すように、凸部３ａの形状や凹部３ｂの間隔が段階的に変化しているものや、図１２に示すように、草抉摘部３の先端部分の凸部３ａが直線状で把持部１に近い手基部分の凸部３ａが曲線状のものなどであってもよい。
【産業上の利用可能性】
【００１７】
本発明は、以上のように構成したので雑草の除去に適しており、農作業用、園芸用など広範な目的の除草に効果があり、農園芸分野での利用の可能性が高い。
【図面の簡単な説明】
【００１８】
【図１】本発明の草取り具の一実施の形態の正面図である。
【図２】本発明の草取り具の草抉摘部の２つの実施の形態の正面図である。
【図３】図１の実施の形態の草抉摘部の拡大斜視図である。
【図４】図１の実施の形態の草抉摘部の拡大底面図である。
【図５】図１の実施の形態での草取りの状態を示す斜視図である。
【図６】図１の実施の形態での草取りの状態を示す斜視図である。
【図７】本発明の草取り具の他の実施の形態の正面図である。
【図８】本発明の草取り具の他の実施の形態の正面図である。
【図９】本発明の草取り具の他の実施の形態の正面図である。
【図１０】本発明の草取り具の他の実施の形態の正面図である。
【図１１】本発明の草取り具の他の実施の形態の正面図である。
【図１２】本発明の草取り具の他の実施の形態の正面図である。
【符号の説明】
【００１９】
１    把持部
２    刃部
３    草抉摘部
３ａ  草抉摘部の凸部
３ｂ  草抉摘部の凹部
５    草の根
【図１】
2007135508.tif 000003
【図２】
2007135508.tif 000004
【図３】
2007135508.tif 000005
【図４】
2007135508.tif 000006
【図５】
2007135508.tif 000007
【図６】
2007135508.tif 000008
【図７】
2007135508.tif 000009
【図８】
2007135508.tif 000010
【図９】
2007135508.tif 000011
【図１０】
2007135508.tif 000012
【図１１】
2007135508.tif 000013
【図１２】
2007135508.tif 000014